【手続補正書】
【提出日】平成30年11月20日(2018.11.20)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、前記方法は、
ユーザ機器（ＵＥ）によって、第１の無線アクセス技術（ＲＡＴ）を使用する受信された通信に関連する電力パラメータを測定することと、
前記ＵＥによって、前記第１のＲＡＴを使用する前記受信された通信に関連する品質パラメータを測定することと、前記品質パラメータは、前記電力パラメータとは異なり、
前記ＵＥによって、変更された電力パラメータを形成するために前記電力パラメータにオフセットを適用することと、前記オフセットは、前記ＵＥに関連する電力利得または前記品質パラメータのうちの少なくとも１つに基づいて決定され、
前記ＵＥによって、前記変更された電力パラメータが報告しきい値を満たすかどうかを決定することと、
前記ＵＥによって、および前記変更された電力パラメータが前記報告しきい値を満たすとの決定に少なくとも部分的に基づいて、前記変更された電力パラメータを含む測定報告を送信することと
を備える、方法。
【請求項２】
前記電力パラメータが基準信号受信電力（ＲＳＲＰ）を備える、請求項１に記載の方法。
【請求項３】
前記品質パラメータは、基準信号受信品質（ＲＳＲＱ）またはブロックエラーレート（ＢＬＥＲ）を備える、請求項１に記載の方法。
【請求項４】
前記品質パラメータに基づいて前記オフセットを決定すること
をさらに備える、請求項１に記載の方法。
【請求項５】
前記オフセットの前記適用は、前記電力利得が電力利得しきい値を満たすと決定することにさらに基づき、前記方法は、
前記ＵＥによって、前記電力利得を決定することと、
前記ＵＥによって、前記電力利得が前記電力利得しきい値を満たすと決定することと、
前記電力利得が前記電力利得しきい値を満たすと前記決定することに基づいて、前記電力利得に基づいて前記オフセットを決定することと
をさらに備える、請求項１に記載の方法。
【請求項６】
変更された電力パラメータを形成するために前記電力パラメータに前記オフセットを前記適用することは、
前記品質パラメータが品質しきい値を満たすと決定することと、
前記品質パラメータが前記品質しきい値を満たすとき、前記電力パラメータに前記オフセットを適用することと
を備える、請求項１に記載の方法。
【請求項７】
前記電力パラメータに前記オフセットを前記適用することは、第２の品質パラメータが第２の品質しきい値を満たすと決定することにさらに基づき、前記方法は、
前記第２の品質パラメータが前記第２の品質しきい値を満たすと決定すること
をさらに備える、請求項６に記載の方法。
【請求項８】
前記測定報告は、ネイバー基地局へのハンドオーバに関連してサービング基地局に送信され、前記方法は、
前記サービング基地局から前記通信を受信すること、前記サービング基地局が前記第１のＲＡＴに関連し、前記ネイバー基地局が第２のＲＡＴに関連する、をさらに備える、請求項１に記載の方法。
【請求項９】
前記第１のＲＡＴが前記第２のＲＡＴとは異なる、請求項８に記載の方法。
【請求項１０】
ワイヤレス通信のための装置であって、
前記装置によって、第１の無線アクセス技術（ＲＡＴ）を使用する受信された通信に関連する電力パラメータを測定するための手段と、
前記装置によって、前記第１のＲＡＴを使用する前記受信された通信に関連する品質パラメータを測定するための手段と、前記品質パラメータは、前記電力パラメータとは異なり、
前記装置によって、変更された電力パラメータを形成するために前記電力パラメータにオフセットを適用するための手段と、前記オフセットは、前記ＵＥに関連する電力利得または前記品質パラメータのうちの少なくとも１つに基づいて決定され、
前記装置によって、前記変更された電力パラメータが報告しきい値を満たすかどうかを決定するための手段と、
前記装置によって、および前記変更された電力パラメータが前記報告しきい値を満たすとの決定に少なくとも部分的に基づいて、前記変更された電力パラメータを含む測定報告を送信するための手段と
を備える、装置。
【請求項１１】
前記電力パラメータが基準信号受信電力（ＲＳＲＰ）を備える、請求項１０に記載の装置。
【請求項１２】
前記品質パラメータは、基準信号受信品質（ＲＳＲＱ）またはブロックエラーレート（ＢＬＥＲ）を備える、請求項１０に記載の装置。
【請求項１３】
前記オフセットを適用するための前記手段は、前記品質パラメータに基づいて前記オフセットを決定するように構成される、請求項１０に記載の装置。
【請求項１４】
前記オフセットを適用するための前記手段は、
前記電力利得を決定することと、
前記電力利得が電力利得しきい値を満たすと決定することと、
前記電力利得が前記電力利得しきい値を満たすとの前記決定に基づいて、前記オフセットを適用することと
を行うように構成される、請求項１０に記載の装置。
【請求項１５】
変更された電力パラメータを形成するために前記電力パラメータに前記オフセットを適用するための前記手段は、
前記品質パラメータが品質しきい値を満たすと決定することと、
前記品質パラメータが前記品質しきい値を満たすとき、前記電力パラメータに前記オフセットを適用することと
を行うように構成された、請求項１０に記載の装置。
【請求項１６】
前記電力パラメータに前記オフセットを適用するための前記手段は、
第２の品質パラメータが第２の品質しきい値を満たすと決定することと、
前記第２の品質パラメータが前記第２の品質しきい値を満たすとの前記決定に基づいて、前記オフセットを適用することと
を行うようにさらに構成される、請求項１５に記載の装置。
【請求項１７】
前記測定報告は、ネイバー基地局へのハンドオーバに関連してサービング基地局に送信され、前記装置は、
前記サービング基地局から前記通信を受信するための手段、前記サービング基地局が前記第１のＲＡＴに関連し、前記ネイバー基地局が第２のＲＡＴに関連する、
をさらに備える、請求項１０に記載の装置。
【請求項１８】
前記第１のＲＡＴが前記第２のＲＡＴとは異なる、請求項１７に記載の装置。
【請求項１９】
ワイヤレス通信のための装置であって、
メモリと、
前記メモリに結合された少なくとも１つのプロセッサと
を備え、前記少なくとも１つのプロセッサは、
第１の無線アクセス技術（ＲＡＴ）を使用する受信された通信に関連する電力パラメータを測定することと、
前記第１のＲＡＴを使用する前記受信された通信に関連する品質パラメータを測定することと、前記品質パラメータは、前記電力パラメータとは異なり、
変更された電力パラメータを形成するために前記電力パラメータにオフセットを適用することと、前記オフセットは、前記ＵＥに関連する電力利得または前記品質パラメータのうちの少なくとも１つに基づいて決定され、
前記変更された電力パラメータが報告しきい値を満たすかどうかを決定することと、
前記変更された電力パラメータが前記報告しきい値を満たすとの決定に少なくとも部分的に基づいて、前記変更された電力パラメータを含む測定報告を送信することと
行うように構成された、装置。
【請求項２０】
前記電力パラメータが基準信号受信電力（ＲＳＲＰ）を備える、請求項１９に記載の装置。
【請求項２１】
前記品質パラメータは、基準信号受信品質（ＲＳＲＱ）またはブロックエラーレート（ＢＬＥＲ）を備える、請求項１９に記載の装置。
【請求項２２】
前記少なくとも１つのプロセッサは、前記品質パラメータに基づいて前記オフセットを決定するようにさらに構成された、請求項１９に記載の装置。
【請求項２３】
前記少なくとも１つのプロセッサは、前記電力利得が電力利得しきい値を満たすとの決定にさらに基づいて、前記オフセットを適用するように構成され、前記少なくとも１つのプロセッサは、
前記電力利得を決定することと、
前記電力利得が前記電力利得しきい値を満たすと決定することと、
前記電力利得が前記電力利得しきい値を満たすとの前記決定に基づいて、前記電力利得に基づいて前記オフセットを決定することと
を行うようにさらに構成された、請求項１９に記載の装置。
【請求項２４】
前記少なくとも１つのプロセッサは、
前記品質パラメータが品質しきい値を満たすと決定することと、
前記品質パラメータが前記品質しきい値を満たすとき、前記電力パラメータに前記オフセットを適用することと
によって、変更された電力パラメータを形成するために前記電力パラメータに前記オフセットを適用するように構成された、請求項１９に記載の装置。
【請求項２５】
前記少なくとも１つのプロセッサは、第２の品質パラメータが第２の品質しきい値を満たすとの決定にさらに基づいて、前記電力パラメータに前記オフセットを適用するように構成され、前記少なくとも１つのプロセッサは、前記第２の品質パラメータが前記第２の品質しきい値を満たすと決定するようにさらに構成された、請求項２４に記載の装置。
【請求項２６】
前記測定報告は、ネイバー基地局へのハンドオーバに関連してサービング基地局に送信され、前記少なくとも１つのプロセッサは、前記サービング基地局から前記通信を受信するようにさらに構成され、ここにおいて、前記サービング基地局が前記第１のＲＡＴに関連し、前記ネイバー基地局が第２のＲＡＴに関連する、請求項１９に記載の装置。
【請求項２７】
ワイヤレス通信のためのコンピュータ実行可能コードを記憶する非一時的コンピュータ可読媒体であって、
ユーザ機器（ＵＥ）によって、第１の無線アクセス技術（ＲＡＴ）を使用する受信された通信に関連する電力パラメータを測定することと、
前記ＵＥによって、前記第１のＲＡＴを使用する前記受信された通信に関連する品質パラメータを測定することと、前記品質パラメータは、前記電力パラメータとは異なり、
前記ＵＥによって、変更された電力パラメータを形成するために前記電力パラメータにオフセットを適用することと、前記オフセットは、前記ＵＥに関連する電力利得または前記品質パラメータのうちの少なくとも１つに基づいて決定され、
前記ＵＥによって、前記変更された電力パラメータが報告しきい値を満たすかどうかを決定することと、
前記ＵＥによって、および前記変更された電力パラメータが前記報告しきい値を満たすとの決定に少なくとも部分的に基づいて、前記変更された電力パラメータを含む測定報告を送信することと
を行うためのコードを備える、非一時的コンピュータ可読媒体。